(57)【要約】      （修正有）【課題】掲示紙を椅子の背もたれ、机やテーブルの天板、演台、舞台の端などに掲示するための簡易な構造の掲示手段を提供することである。【解決手段】クリップボード１の裏側に２つの支持体１０が設けられている。支持体１０は、略Ｕ字状を呈したフック４と、フック４を回転自在に支持するための軸受３と、フック４の軸受からの抜け落ちを防止する手段として機能する２つの固定子５とから構成されている。【選択図】図２
0003104681.tif 000002
【実用新案登録請求の範囲】
【請求項１】
クリップボードを椅子の背もたれやテーブルの天板に着脱自在に保持するための支持体を備えてなることを特徴とする改良されたクリップボード。
【請求項２】
前記支持体が、椅子の背もたれに掛けるためのフックと、該フックを回転自在に支持するための軸受とを備え、当該支持体がクリップボードの裏側に固着されてなる請求項１記載のクリップボード。
【請求項３】
前記支持体が、フックの軸受からの抜け落ちを防止するための手段をさらに備え、前記軸受が、略板状の本体と、該本体に形成され、前記フックを挿通するための凹所とを備えてなる請求項２記載のクリップボード。
【請求項４】
前記支持体が、テーブルの天板に掛けるためにクリップボードの上縁から当該クリップボードに対してほぼ垂直方向に延びる延長部と、当該クリップボードの使用状態において該延長部の前記テーブルの天板と対向する面に滑り防止手段が設けられてなる請求項１記載のクリップボード。
【請求項５】
前記滑り防止手段がシリコーン樹脂層である請求項４記載のクリップボード。
【考案の詳細な説明】
【技術分野】
【０００１】
本考案は改良されたクリップボードに関する。さらに詳しくは、椅子の背もたれまたはテーブルもしくは机の天板に掛けることができるクリップボードに関する。
【背景技術】
【０００２】
各種説明会、会議、コンテスト、パネルディスカッションなどの会場において、議事進行をつかさどる人や、議長、委員長、委員などの肩書き、大学や企業の名称および氏名等を記載した掲示紙（垂札）をセロファンテープ、ガムテープなどで椅子、テーブルや演台に貼り付けているのが現状である。
【考案の開示】
【考案が解決しようとする課題】
【０００３】
しかし、椅子、テーブルや演台の素材、埃や湿気などの有無といった条件によっては、所望の接着力が得られない場合があり、このような場合に無理に掲示紙を椅子、テーブルや演台等に貼り付けたとしても剥がれ落ちてしまい、議事進行やコンテストの進行に水をさしてしまうという失態を起こすことになりかねない。
【０００４】
本考案の目的は、叙上の従来の掲示紙の掲示手段の問題を解消し、掲示紙を椅子の背もたれ、机やテーブルの天板、演台、舞台の端などに掲示するための簡易な構造の掲示手段を提供することである。
【課題を解決するための手段】
【０００５】
本考案は、改良されたクリップボードであって、クリップボードを椅子の背もたれやテーブルの天板に着脱自在に保持するための支持体を備えてなることを特徴としている。
【０００６】
また、前記支持体が、椅子の背もたれに掛けるためのフックと、該フックを回転自在に支持するための軸受とを備え、当該支持体がクリップボードの裏側に固着されてなることが好ましい。
【０００７】
また、前記支持体が、フックの軸受からの抜け落ちを防止するための手段をさらに備え、前記軸受が、略板状の本体と、該本体に形成され、前記フックを挿通するための凹所とを備えてなることが好ましい。
【０００８】
また、前記支持体が、テーブルの天板に掛けるためにクリップボードの上縁から当該クリップボードに対してほぼ垂直方向に延びる延長部と、当該クリップボードの使用状態において該延長部の前記テーブルの天板と対向する面に滑り防止手段が設けられてなることが好ましい。
【０００９】
また、前記滑り防止手段がシリコーン樹脂層であることが好ましい。
【考案の効果】
【００１０】
本考案の改良されたクリップボードによれば、クリップボードを椅子の背もたれやテーブルに着脱自在に保持するための支持体を備えているので、掲示紙をクリップボードに綴じ、支持体によりクリップボードを椅子の背もたれや、テーブルの天板に掛けるだけで、クリップボード自体が落下することが防止できるため、掲示される机やテーブルの素材、湿度、塵埃に拘らず、掲示紙を所望の場所に確実に掲示することができる。本考案のクリップは、路上での飲食店などの店の宣伝文、マンションなどの場所の案内文、学校や企業での各種行事の報告文のなど限定されない掲示紙の掲示手段として適用されうる。
【考案を実施するための最良の形態】
【００１１】
添付図面を参照しながら、本考案の改良されたクリップボード（以下、単に「クリップボード」という）を以下に詳細に説明する。
【００１２】
図１は本考案のクリップボードに掲示紙が綴じられた例を示す説明図、図２は本考案の一実施の形態にかかわるクリップボードの支持体を示す説明図、図３の（ａ）は図２の支持体の使用状態を示す説明図であり（ｂ）は支持体の分解斜視図、図４は図２の支持体の収納状態を示す説明図、図５は本考案の他の実施の形態にかかわるクリップボードを示す説明図、図６は図５のクリップボードの斜視図である。
【００１３】
実施の形態１
図２を参照すると、本実施の形態にかかわるクリップボードは、クリップボード１の裏側に２つの支持体１０が設けられている。本実施の形態の場合、支持体１０は、略Ｕ字状を呈したフック４と、フック４を回転自在に支持するための軸受３と、フック４の軸受からの抜け落ちを防止する手段として機能する２つの固定子５とから構成されている。図２には、２つの支持体１０がクリップボード１の裏側に設けられているが、支持体１０は、特定の数に限定されることはない。支持体２を２つ備えていると、２点支持が実現するため好ましいが、支持体１０が１つのもの、また、支持体１０が３つ以上のものも本考案に含まれることはいうまでもない。フック４の素材としては、とくに限定されないが、たとえば、金属のほか、合成樹脂を採用することができる。
【００１４】
図３（ｂ）を参照すると、フック４が金属の場合、フック４にカシメ部４ａを設け、カシメ部４ａのあいだに固定子５として機能する２つのワッシャ５が挿通される。２つのワッシャ５に挟まれたフック４の部分が略板状の軸受３の凹所３に嵌めこまれたのち、クリップボード１の裏面に軸受３が接着剤によって固着される。また、フック４が合成樹脂製の場合、フック４に２つの固定子５を一体的に形成することができる。なお、図３（ａ）、（ｂ）を参照すると、フック４の先端を予め変形しておくと、フック４の弾性力に基づく把握力が強化されるので好ましい。
【００１５】
図１を参照すると、クリップボード１のクリップ２により掲示紙Ｐを綴じると、図２の支持体１０のフック４を９０度回転させると、図３の（ａ）に示されるような状態になり、クリップボード１を椅子の背もたれの上縁などに掛けることができる。なお、図１において、参照符号Ｔは、たとえば、議長、審査委員長や大学または企業の役職などの表示部を示し、参照符号Ｎは氏名の表示部を示している。
【００１６】
収納する際は、図３の（ａ）に示されたフック４を９０度回転させるると、図４に示されるように、フック４が格納される。したがって、本実施の形態のクリップボードは収納時にかさばらないという利点がある。
【００１７】
実施の形態２
図５および６を参照すると、本実施の形態のクリップボードの場合、支持体１０は、クリップボード１の上縁からクリップボード１に対して垂直方向に延びる延長部６と、当該クリップボードの使用状態において延長部６のテーブルＤの天板と対向する面に設けられた滑り防止手段として機能するシリコーン樹脂層７とから構成されている。本実施の形態の場合、クリップボード１および延長部６の素材は、たとえば金属または合成樹脂が採用される。また、延長部６はクリップボード１と一体的に形成される。したがって、クリップボード１が金属製の場合、折り曲げによって延長部６が形成され、合成樹脂製の場合、一体成形により形成される。
【００１８】
図５を参照すると、本実施の形態のクリップボードを、テーブルＤの天板に掛けると、クリップボード自体の重量がテーブルＤの天板に付与され、そのうえ、延長部６に設けられたシリコーン樹脂層７の摩擦効果により、クリップボードのテーブルＤの天板からの滑り落ちが有効に防止される。
【図面の簡単な説明】
【００１９】
【図１】本考案のクリップボードに掲示紙が綴じられた例を示す説明図である。
【図２】本考案の一実施の形態にかかわるクリップボードの支持体を示す説明図である。
【図３】（ａ）は図２の支持体の使用状態を示す説明図であり（ｂ）は支持体の分解斜視図である。
【図４】図２の支持体の収納状態を示す説明図である。
【図５】本考案の他の実施の形態にかかわるクリップボードを示す説明図である。
【図６】図５のクリップボードの斜視図である。
【符号の説明】
【００２０】
１  クリップボード
２  クリップ
３  軸受
３ａ凹所
４  フック
４ａカシメ部
５  固定子（ワッシャ）
６  延長部
７  滑り防止手段（シリコーン樹脂層）
１０  支持体
Ｄ  テーブル
Ｎ  表示部
Ｐ  掲示紙
Ｔ  表示部
【図１】
0003104681.tif 000003
【図２】
0003104681.tif 000004
【図３】
0003104681.tif 000005
【図４】
0003104681.tif 000006
【図５】
0003104681.tif 000007
【図６】
0003104681.tif 000008